(57)【要約】【課題】簡単な構成で接点ピンを保持し、且つメイン基板と接点ピンとの接続を確実に行う。【解決手段】ボディ側マウント部１４は、マウントリング部材５１、バヨネット爪３０ａ〜ｃ、マウント本体５３、バリア部材５４、コイルバネ５６からなる。マウント本体５３は、ベース部材６１に固定部材６３ａを固定することにより接点ピン３１を保持し、中継基板６５をベース部材６１に固定することによって接点ピン３１を中継基板６５に圧接する。中継基板６５をＦＰＣ７６を介してメイン基板７７に接続することで、接点ピン３１とメイン基板７７とが電気的に接続される。【選択図】図６
2008033044.tif 000002
【特許請求の範囲】
【請求項１】
レンズユニットと、このレンズユニットが着脱自在に装着されるマウント部を有し、このマウント部に設けられた接点ピンを介して前記レンズユニットと電気信号の授受を行うカメラボディとを備え、前記マウント部は、前記レンズユニットと結合する結合部、この結合部の背面側に固定されるベース部材と、複数の前記接点ピンと、この接点ピンを前記ベース部材に固定する固定部材と、前記接点ピンが接続されるメイン基板とを有するカメラのマウント構造において、
前記メイン基板と接続される中継基板を備えており、前記接点ピンは、一端部に前記レンズユニットの接点と接触する接触部が、他端部に前記ベース部材から突出する接続片が形成されており、前記中継基板を前記ベース部材に固定することによって前記中継基板が前記接続片に圧接して電気的に導通されることを特徴とするカメラのマウント構造。
【請求項２】
レンズユニットと、このレンズユニットが着脱自在に装着されるマウント部を有し、このマウント部に設けられた接点ピンを介して前記レンズユニットと電気信号の授受を行うカメラボディとを備え、前記マウント部は、前記レンズユニットと結合する結合部、この結合部の背面側に固定されるベース部材と、複数の前記接点ピンと、この接点ピンを前記ベース部材に固定する固定部材と、前記接点ピンが接続されるメイン基板とを有するカメラのマウント構造において、
前記メイン基板と接続される中継基板を備えており、前記接点ピンは、一端部に前記レンズユニットの接点と接触する接触部が、他端部に前記ベース部材から突出する接続片が形成されており、前記中継基板を前記マウント本体に固定し、前記接続片と前記中継基板とをハンダ付けすることによって電気的に導通されることを特徴とするカメラのマウント構造。
【請求項３】
前記接点ピンは略Ｚ字状に形成されており、前記ベース部材に形成されたピン保持部と、前記中継基板との間に挟持固定されることを特徴とする請求項１又は２記載のカメラのマウント構造。
【請求項４】
前記中継基板と前記メイン基板とは、前記中継基板に設けられた可撓性を有するフレキシブル基板の接点部を、前記メイン基板に設けられたコネクタに挿入することによって電気的に接続されることを特徴とする請求項１ないし３いずれか記載のカメラのマウント構造。
【発明の詳細な説明】
【技術分野】
【０００１】
本発明は、カメラのマウント構造に関する。
【背景技術】
【０００２】
近年、ＣＣＤなどの撮像素子を用いて撮像した撮影画像をデジタルの画像データに変換し、内蔵メモリやメモリカードなどの記録媒体に記録するデジタルカメラが普及している。デジタルカメラの中には、撮影レンズがカメラボディに一体化された一体型のものと、各種撮影レンズがカメラボディに着脱可能にされたレンズ交換型のものとがある。レンズ交換型のデジタルカメラの場合、レンズユニットとカメラボディとの間でデータの転送を行うために、それぞれのマウント部に電気信号接点を設けており、レンズユニットをカメラボディに装着した時に互いの電気信号接点が接触状態となり、これらの電気信号接点を介してデータ転送を行う構成が一般的である。
【０００３】
ところで、上述したような電気信号の接点をカメラボディに設ける場合、例えば特許文献１〜３に記載されているように、マウント部の内側に複数の接点を配設する必要があり、さらにレンズユニットを確実に保持する部材や、マウント部に装着したレンズユニットを動かないようにロックする部材などマウント部周辺が複雑な構成となっている。
【０００４】
また、従来のマウント構造では、図１０に示すように、カメラボディ１０５の前面側に、バヨネット爪１０１、マウント本体１０２、複数の接点ピン１０３などからなるマウント部１００が設けられ、カメラボディ１０５の内部に配されたメイン基板１０６がマウント部１００の背面側に位置し、マウント部１００に組み込まれた接点ピン１０３とメイン基板１０６とを直接ハンダ付けによって電気的及び物理的に接続していた。
【特許文献１】特開２００５−３１６４３７号公報
【特許文献２】特開２００５−３１６４３８号公報
【特許文献１】特開２００５−３００５６７号公報
【発明の開示】
【発明が解決しようとする課題】
【０００５】
しかしながら、上述のような従来構成のマウント構造では、マウント部１００に組み込まれた接点ピン１０３と、メイン基板１０６とが直接ハンダ付けされているため、組み付け終了後、分解することは困難であり、メインテナンス性の点で問題があった。また、接点ピン１０３の付近で接触不良や物理的な破損などのトラブルが発生すると、高価なメイン基板１０６にまで影響がおよび、マウント部及びメイン基板周辺の構成を全て交換しなければならなくなる。さらにまた、マウント部及びメイン基板周辺の部品を全て組み付けなければ電気的性能の検査を行うこともできない。また、上記特許文献１〜３に記載されているマウント部の構造では、接点及びメイン基板周辺の構成については考慮されておらず、また、複雑な構成となっているため、メインテナンス性も良くない。
【０００６】
本発明は、上記事情に鑑みてなされたものであり、簡単な構成で接点ピンを保持し、且つメイン基板と接点ピンとの接続を確実に行うことが可能なカメラのマウント構造をローコストに提供することを目的とする。
【課題を解決するための手段】
【０００７】
上記課題を解決するために、本発明のカメラのマウント構造は、レンズユニットと、このレンズユニットが着脱自在に装着されるマウント部を有し、このマウント部に設けられた接点ピンを介して前記レンズユニットと電気信号の授受を行うカメラボディとを備え、前記マウント部は、前記レンズユニットと結合する結合部、この結合部の背面側に固定されるベース部材と、複数の前記接点ピンと、この接点ピンを前記ベース部材に固定する固定部材と、前記接点ピンが接続されるメイン基板とを有するカメラのマウント構造において、前記メイン基板と接続される中継基板を備えており、前記接点ピンは、一端部に前記レンズユニットの接点と接触する接触部が、他端部に前記ベース部材から突出する接続片が形成されており、前記中継基板を前記ベース部材に固定することによって前記中継基板が前記接続片に圧接して電気的に導通されることを特徴とする。
【０００８】
レンズユニットと、このレンズユニットが着脱自在に装着されるマウント部を有し、このマウント部に設けられた接点ピンを介して前記レンズユニットと電気信号の授受を行うカメラボディとを備え、前記マウント部は、前記レンズユニットと結合する結合部、この結合部の背面側に固定されるベース部材と、複数の前記接点ピンと、この接点ピンを前記ベース部材に固定する固定部材と、前記接点ピンが接続されるメイン基板とを有するカメラのマウント構造において、前記メイン基板と接続される中継基板を備えており、前記接点ピンは、一端部に前記レンズユニットの接点と接触する接触部が、他端部に前記ベース部材から突出する接続片が形成されており、前記中継基板を前記マウント本体に固定し、前記接続片と前記中継基板とをハンダ付けすることによって電気的に導通されることを特徴とする。
【０００９】
なお、前記接点ピンは略Ｚ字状に形成されており、前記ベース部材に形成されたピン保持部と、前記中継基板との間に挟持固定されることが好ましい。また、前記中継基板と前記メイン基板とは、前記中継基板に設けられた可撓性を有するフレキシブル基板の接点部を、前記メイン基板に設けられたコネクタに挿入することによって電気的に接続されることが好ましい。
【発明の効果】
【００１０】
本発明のカメラのマウント構造によれば、接点ピンを固定部材によってベース部材に固定し、メイン基板に接続される中継基板をベース部材に固定することによって接点ピンの接続片が中継基板に圧接、又はハンダ付けして電気的に導通されるので、簡単な構成で接点ピンを保持し、且つメイン基板と接点ピンとの接続を確実に行うことができる。また、メイン基板とマウント部とは中継基板を介して接続されているので、メインテナンス性、検査適性が向上し、ローコスト化を図ることができる。
【発明を実施するための最良の形態】
【００１１】
図１において、本発明のマウント構造を適用したデジタルカメラ１０は、カメラボディ１１とレンズユニット１２とから構成されたカメラシステムであり、レンズユニット１２は、カメラボディ１１に着脱自在に装着される。カメラボディ１１には、ボディ側マウント部１３が設けられており、レンズユニット１２には、レンズ側マウント部１４が設けられている。
【００１２】
レンズユニット１２は、図２に示すように、レンズ鏡胴部２１と、レンズ側マウント部１４とからなり、レンズ側マウント部１４は、レンズ鏡胴部２１に固定されるマウント本体２２と、このマウント本体２２と一体に設けられたバヨネット爪２３ａ〜ｃと、接点基板２４と、この接点基板２４をマウント本体２２に固定する固定板２６とが設けられている。バヨネット爪２３ａ〜ｃは、ボディ側マウント部１３のバヨネット爪３０ａ〜ｃに合わせた位置及び形状に形成されており、互いに噛み合うようになっている。また、バヨネット爪２３ａ〜ｃのうち、１つのバヨネット爪２３ａには、その一端部に回転規制突起部２３ｄが一体に形成されている。回転規制突起部２３ｄは、バヨネット爪２２ａと当接することによりレンズユニット１２の回転を規制して所定の角度に位置決めする。
【００１３】
接点基板２４は、バヨネット爪２３ａ〜ｃにそれぞれ嵌め込まれるように相似形状且つ１回り小さく形成されており、複数の接点パターン２７が実装されている。この接点パターン２７は、ボディ側マウント部１３に設けられた複数の接点ピン３１（図３〜５参照）に合わせた位置に設けられており、レンズユニット１２がカメラボディ１１に装着されたとき、接点ピン３１、接点パターン２７がそれぞれ互いに接触して接続状態なり、電気信号の授受が可能となる。
【００１４】
なお、レンズユニット１２には、撮影レンズ４１、撮像素子としてのＣＣＤ４２、このＣＣＤ４２から取得した撮像信号に基づいて画像データを形成する処理回路や、レンズユニット１２の各部を制御する制御回路などが設けられた回路基板などが内蔵されている。撮影レンズ４１を通してＣＣＤ４２に結像された被写体光が、ＣＣＤ４２によって撮像信号に光電変換される。そしてこの撮像信号に基づいて信号処理回路で形成された画像データは、接点パターン２７、接点ピン３１を介してカメラボディ１２へ転送され、記憶媒体に記憶される。
【００１５】
また、カメラボディ１１の前面上部には、ストロボ４３が設けられている。また、カメラ本体１１の上面には、撮影を行う際に押圧操作されるシャッタボタン４４、および、撮影モードと再生モードとを切り替える際に回転操作される切り替えダイヤル４６が設けられている。さらに、カメラ本ボディ１１の背面には、電源スイッチ、及びＬＣＤなどが設けられている。
【００１６】
ボディ側マウント部１３は、図３及び図４に示すように、リング状に形成されたマウントリング部材５１、このマウントリング部材５１と一体に形成された３つのバヨネット爪３０ａ〜ｃと、マウント本体５３と、マウントリング部材５１の開口部を塞ぐ塞ぎ位置、及びこの塞ぎ位置から後退する退避位置の間で移動可能に設けられたバリア部材５４と、このバリア部材５４を塞ぎ位置に付勢するコイルバネ５６と、ロック機構５７とからなる。なお、図３においては、マウント部１３の構成を表しやすくするため、バリア部材２６が退避位置に後退した状態を図示している。マウントリング部材５１は、カメラボディ１１の前カバー（筐体）１１ａに対してネジ止めなどによって一体に固定されている。バヨネット爪３０ａ〜ｃは、マウントリング部材５１の内周面から中央へ向かって突出するように形成されている。なお、本実施形態においては、マウント部１３、１４ともに３個のバヨネット爪を設けているが、本発明はこれに限るものではなく、バヨネット爪の個数は２個あるいは４個でもよい。
【００１７】
マウント本体５３は、図４及び図５に示すように、ベース部材６１と、接点ピン３１と、固定部材６３ａ〜ｃと、固定ネジ６４と、中継基板６５とからなる。ベース部材６１は、略円筒状の外形で、底面側を塞ぐ底壁６６と、内周面から中央に突出するピン保持部６７ａ〜ｃと、外周面から内周面へ貫通する切り欠き状の嵌合部６８ａ〜ｃと、ネジ止め用のボス６１ａとが一体に形成されている。また、ピン保持部６７ａ〜ｃは、その先端部に接点ピン３１とそれぞれ係合する切り欠き部６９が複数形成されている。切り欠き部６９は、ピン保持部６７ａ〜ｃの形状に沿って円弧状に配列されている。さらにまた、嵌合部６８ａ〜ｃは、ピン保持部６７ａ〜ｃの背面側から底壁６６まで連続して形成されており、その両端部に係合ピン７０ａ、７０ｂがそれぞれ形成されている。なお、図５においては、説明の都合上、固定部材６３ａ〜ｃのうち、固定部材６３ｂのみを取り外し、また、接点ピン３１の一つがまだ保持されていない状態を図示している。
【００１８】
接点ピン３１は、図５に示すように、接触部３１ａと、接続片３１ｂと、これらを繋ぐ中間部３１ｃとからなり、略Ｚ字状に形成された金属製のものである。接触部３１ａの先端部には、円柱部３１ｄが形成されている。接続片４１ｂは、その先端部が、接触部３１ａから離反する方向に延びるように形成されている。この接点ピン３１は、接触部３１ａから接続片３１ｂの先端までの寸法Ａ（図５参照）が、ピン保持部６７ａ〜ｃと中継基板６５との隙間Ｄよりも大きく形成されている。
【００１９】
固定部材６２ａ〜ｃは、ベース部材６１の外周面に合わせた略円弧状に形成されており、複数のスリット７１と、両端部に位置する係合部７２とが形成されている。スリット７１は、接点ピン３１の幅に合わせて形成されており、接点ピン３１の中間部３１ｃが挿入される。また、このスリット７１に接点ピン３１の中間部３１ｃが挿入されたとき、接点ピン３１の接続片３１ｂが背面側へ突出する。係合部７２は、係合穴７２ａが形成されている。この係合穴７２ａと、ベース部材６１の嵌合部６３ａ〜ｃに形成された係合ピン７０ａ、７０ｂとが係合することによって固定部材６３ａ〜ｃがベース部材６１に固着される。なお固定部材６３ａ〜ｃのベース部材６１への固着はこれに限るものではなく、ネジ止めや接着などによって固着してもよい。
【００２０】
中継基板６５は、剛性を有する薄板形状、例えば金属板とＦＰＣ（フレキシブル基板）とを貼り合わせたものなどを使用し、接点ピン３１と接続される複数の接続パターン６５ａが実装され、複数のネジ穴６５ｂが形成されている。接続パターン６５ａは、接点ピン３１の位置に合わせて円弧状に並んで配置されている。また、中継基板６５には、可撓性を有する接続ケーブルとしてのＦＰＣ７６が設けられている。ＦＰＣ７６の先端には、複数の接点部７６ａが露呈しており、このＦＰＣ７６の先端を後述するメイン基板７７に設けたコネクタ７７ａに接続することによって、メイン基板７７と中継基板６５とが電気的に接続される。このように、中継基板６５にコネクタを設けない構成で接点ピン３１及びメイン基板７７との接続を行うことで、接触抵抗を低下させることができるので、電気信号の転送を安定して行うことができる。なお、ＦＰＣ７６は、中継基板６５を構成するＦＰＣと一体に形成してもよいし、別々に形成したものを中継基板６５に接続するようにしてもよい。
【００２１】
また、中継基板６５には、ロック機構５７が組み付けられている。このロック機構５７は、ロックピン７９と、ロック解除ボタン８０と、ボタン保持部材８１と、押圧スイッチ８２とを備える。ロック解除ボタン８０は、ロックピン７９と軸方向が平行となるように連結部８０ａを介して一体に設けられており、ボタン保持部材８１に対して軸方向に沿って移動自在に保持されている。ボタン保持部材８１は、中継基板６５に固着されている。なお、ロックピン７９は、マウントリング部材５１の貫通穴５１ａを通過し、マウントリング部材５１から突出する突出位置と、貫通穴６１ａの内部に退避する退避位置との間で移動自在となっており、ボタン保持部材８１の内部に組み込まれたバネ部材（図示せず）によってロック解除ボタン８０とともに突出位置へ向かって付勢されている。ロック解除ボタン８０は、図１及び図３に示すように、マウントリング部材５１近傍且つカメラボディ１１の表面に露呈している。レンズユニット１２がカメラボディ１１に装着された時に、ロックピン７９が、レンズユニット１２の背面に形成された係合穴２９（図２参照）と係合して、レンズユニット１２の回転がロックされる。これにより、レンズユニット１２が回転してカメラボディ１１から脱落することが防止される。また、押圧スイッチ８２は、ロックピン７９及びロック解除ボタン８０の間に位置し、中継基板６５上に実装されている。この押圧スイッチ８２は、二枚の接片からなり、ロックピン７９及びロック解除ボタン８０が退避位置側へ移動したとき、連結部８０ａに形成された突起部８０ｂに押圧されることによって接片同士が接触する。ロック解除ボタン８０は、レンズユニット１２を取り外す際に操作されるものであり、押圧を受けることによってバネの付勢に抗してロックピン７９とともに退避位置に移動してレンズユニット１２のロックを解除することができる。またこのとき、押圧スイッチ８２の接片が接触状態となり、レンズユニット１２のロックが解除されたことを示す信号が検知される。
【００２２】
マウント本体５３を組み立てるときには、先ず、接点ピン３１の円柱部３１ｄをピン保持部６７ａ〜ｃの切り欠き部６９に係合させ、且つ中間部３１ｃを固定部材６２ａ〜ｃのスリット７１に挿入させた状態で、固定部材６２ａ〜ｃをベース部材６１に固着する。これによって、接点ピン３１はベース部材６１に固定される。そして、中継基板６５のネジ穴６５ｂを通して固定ネジ６４をベース部材６１のボス６１ａにネジ止めすることによって中継基板６５がベース部材６１に固定される。上述したように接点ピン３１の接触部３１ａから接続片３１ｂの先端までの寸法Ａが、ピン保持部６７ａ〜ｃと中継基板６５との隙間Ｄよりも大きく形成されているため、中継基板６５をベース部材６１に固定すると、接点ピン３１は、押圧を受けて変形してピン保持部６７ａ〜ｃと中継基板６５との間に挟持ち固定される。このように固定することにより、接点ピン３１の弾性力によって接続片３１ｂが中継基板６５の接続パターン６５ｂに圧接し、接点ピン３１と中継基板６５とが電気的に接続される。
【００２３】
上述のように組み立てられたマウント本体５３は、カメラボディ１１の内部、且つマウントリング部材５１の背面側の位置に固定される。また、マウント本体５３の後方にはメイン基板７７が組み込まれる。上述したように、接点ピン３１は、中継基板６５に接続され、中継基板６５は、メイン基板７７に接続されるので、接点ピン３１は、メイン基板３１と電気的に接続される。よって、レンズユニット１２が装着状態のとき、レンズユニット１２の接点パターン２７と接点ピン３１が接触してメイン基板７７と、レンズユニット１２とが電気的に接続された状態となり、電気信号の授受を行うことが可能となる。
【００２４】
上記構成の作用について説明する。上述したように、接点ピン３１とメイン基板７７とを中継基板６５を介して接続しているので、中継基板６５との接続を切り離すことによってメイン基板７７を容易に取り外すことができるので、分解作業が非常に簡単であり、メインテナンス性が向上する。また、組み付け作業中などに、接点ピン３１を含むマウント本体５３に破損や故障などのトラブルが発生しても、メイン基板７７は影響を受けることが無いため、高価なメイン基板７７を交換する必要がないから、コスト増加を防ぎ、部品の歩留り率を向上させることができる。また、マウント本体５３とメイン基板７７とを別別のユニットとして組み立てて、これらを中継基板６５で接続することができるから、マウント本体５３及びメイン基板７７周辺の部品を全て組み付ける前に電気的特性の検査を行うことが可能であり、検査工程を容易にすることができるので、この点からもローコスト化を図ることができる。さらにまた、本実施形態では、接点ピン３１、中継基板６５及びメイン基板７７の電気的接続にハンダ付けを使用していないため、分解が容易であり、リサイクル適正が高いから、環境への負荷も少ない。
【００２５】
なお、上記実施形態では、中継基板６５と接点ピン３１との電気的接続にハンダ付けを用いていないが、これに限らず、図７に示すように中継基板６５と接点ピン３１とをハンダ付けしてもよい。なお、符号９０は、中継基板６５と接点ピン３１とをハンダ付けしたハンダ付け部である。また、この場合、接点ピン３１を中継基板６５に圧接する必要がないため、接点ピン３１は、ピン保持部と中間基板６５との隙間Ｄに合わせた寸法に形成すればよい。このような構成とすることで、接点ピン３１と中継基板６５との電機的接続が確実に行われるとともに、接点ピン３１とメイン基板７７との接続には中継基板６５を介しているので、上記実施形態と同様に、メインテナンス性向上及びローコスト化を図ることが可能であり、さらに電気信号を安定して転送可能な電気信頼度の高い構成をとすることができる。
【図面の簡単な説明】
【００２６】
【図１】デジタルカメラの構成を示す斜視図である。
【図２】レンズユニットのマウント部周辺の構成を示す斜視図である。
【図３】カメラボディのマウント部の構成を示す平面図である。
【図４】ボディ側マウント部の構成を示す分解斜視図である。
【図５】マウント本体の構成を示す分解斜視図である。
【図６】ボディ側マウント部周辺の要部断面図である。
【図７】第２実施形態を適用したボディ側マウント部周辺の要部断面図である。
【図８】従来のマウント部周辺の要部断面図である。
【符号の説明】
【００２７】
１０  デジタルカメラ
１１  カメラボディ
１２  レンズユニット
１３  ボディ側マウント部
３０ａ〜ｃ  バヨネット爪
３１  接点ピン
５３  マウント本体
６１  ベース部材
６３ａ〜ｃ  固定部材
６５  中継基板
７６  フレキシブル基板
７７  メイン基板
【図１】
2008033044.tif 000003
【図２】
2008033044.tif 000004
【図３】
2008033044.tif 000005
【図４】
2008033044.tif 000006
【図５】
2008033044.tif 000007
【図６】
2008033044.tif 000008
【図７】
2008033044.tif 000009
【図８】
2008033044.tif 000010